(57)【要約】【課題】  ペットが嫌がって暴れないようにコントロールすることができて、飼い主が容易にシャンプーすることができるようにした、ペットのグルーミングバッグを提供する。【解決手段】  上面が略舟形形状のペット受入れ開口部Ｏを有する網状袋体２で構成して、前記開口部Ｏ前部には、ペット首周りに合わせて調節可能に装着する漏斗状ガード部材３を設ける一方、前記開口部Ｏ後部には、開口部Ｏを前記漏斗状ガード部材３に向かって絞り込んでくくるための絞止手段４を備える構成とする。前記網状袋体２は、全長が対象とするペットの体長より長い寸法とし、開口部Ｏ全長も、ほぼ対象とするペットの体長に対応させる。  また前記漏斗状ガード部材３は、係着手段７を設けて、互いに双方の端部同士を連結することで扇形状樹脂パネル５を、取着側から扇形状樹脂パネル５外周側に向かって漏斗状に拡開する漏斗状ガード部材３として組み上げる構成とする。【選択図】              図３
2007124965.tif 000002
【特許請求の範囲】
【請求項１】
舟形形状のペット受入れ開口部を有する網状袋体で構成し、前記開口部前部には、ペット首周りに合わせて調節可能に装着する漏斗状ガード部材を設け、前記開口部後部には、前記漏斗状ガード部材に向かって、前記開口部を絞り込んでくくる絞止手段を備えたことを特徴とするペットのグルーミングバッグ。
【請求項２】
前記漏斗状ガード部材は、ペット首周りに合わせて調節する係着手段を備えたことを特徴とする請求項１記載のペットのグルーミングバッグ。
【発明の詳細な説明】
【技術分野】
【０００１】
本発明は、ペットの身体をシャンプーする際に、ペットが嫌がって暴れないようにコントロールすることができて、飼い主が容易にシャンプーすることができるようにした、ペットのグルーミングバッグに関するものである。
【背景技術】
【０００２】
最近のペットブームによって、ペット、特に犬や猫を屋内で飼う人が増えて来ている。飼い主はペットに対し、給餌、給水等の食事、トイレ等様々な身の回りのケアに絶えず留意する必要がある。
例えば、屋内で飼う以上は、体毛のケアも必要であり、ほっておくと、ノミ、シラミ等の寄生虫のすみかとなるおそれがあり、清潔に保つために、時々はシャンプーをすることが望ましい。
しかしながら、ペットは人間と異なり、もともとシャワーなど、好むものではなく（特に猫）、無理に身体にシャワーを浴びせてシャンプーしようとすると、逃げ回ったり、暴れたりしてシャンプーは簡単にはできなかった。
そのため、専門の業者に頼んでシャンプーをしてもらい、例えば
【非特許文献１】登録実用新案第３１０８７６１号公報で示されるようなペット乾燥器を用いてペットのグルーミングを行っている。
【０００３】
また最近では、飼い主が容易にシャンプー他、爪切り、投薬、移動等ができるようにするために、例えば
インターネット上のネットショップ（例えばＵＲＬ：http://www.petcity.co.jp）で見られるようなグルーミングバッグが市販されている。
このグルーミングバッグは、通気性のよいメッシュ状布部材からなり、犬や猫の身体を包んで、自由に動き回れないようにして、シャンプー等を容易にできるようにしたというものである。
【発明の開示】
【発明が解決しようとする課題】
【０００４】
しかしながら、上述のグルーミングバッグでは、略筒状の形状のものであるところから、長さ寸法の割には入り口が狭く、内部にペットを押し込めるのは容易でない。
また、その際、首から下をバッグで包み込み、首周りを面ファスナで締め付けて装着し、足元の開口部を紐で締めることで、ペットの身体全体を、メッシュ状布部材で構成した袋で閉じ込めた状態で、ペットに束縛感を与えた状態でシャンプーができるようにしたというが、首から上は、自由に動かすことができるので、シャンプー後、身体にシャワーを注いで、ドライヤーをかける際に、ペットが突然暴れ出し、手など咬まれるおそれがある。
本発明はこのような課題を改善するために提案されたものであって、必要以上にペットにストレスを与えることなく、飼い主が容易にシャンプーを可能とした、ペットのグルーミングバッグを提供することを目的とする。
【課題を解決するための手段】
【０００５】
前記した課題を解決するために、本発明では、請求項１において、舟形形状のペット受入れ開口部を有する網状袋体で構成し、前記開口部前部には、ペット首周りに合わせて調節可能に装着する漏斗状ガード部材を設け、前記開口部後部には、前記漏斗状ガード部材に向かって、前記開口部を絞り込んでくくる絞止手段を備えたペットのグルーミングバッグを提案する。
また本発明では、請求項２において、前記漏斗状ガード部材は、ペット首周りに合わせて調節する係着手段を備えたペットのグルーミングバッグを提案する。
【発明の効果】
【０００６】
本発明によれば、必要以上にペットにストレスを与えることなく、飼い主が容易にシャンプーを可能とした、ペットのグルーミングバッグを提供することができる。
【０００７】
請求項１によれば、ペットを、広く開口した舟形形状のペット受入れ開口部から簡単に網状袋体内に入れることができる。
次いで、前記開口部前部の漏斗状ガード部材を、ペット首周りに合わせて調節して装着し、開口部後部の絞止手段を引っ張ることにより、開口部を前記漏斗状ガード部材に向かって絞り込んでくくることができ、これによって、ペットを網状袋体内に適度な束縛下におくことができる。
首から上は、漏斗状ガード部材により囲まれた状態であるが、ペットは頭部を旋回させることは可能であり、必要以上に拘束感を与えてストレスをかけることはない。
なお、万一、ペットが興奮したような場合でも、漏斗状ガード部材により飼い主は身体を掴む手が咬まれるようなことは防ぐことができる。
【０００８】
請求項２によれば、前記漏斗状ガード部材は、ペット首周りに装着する際に、係着手段により、簡単に首周りに合わせて調節して、ペットに適度な拘束感を与えた状態で装着することができる。
【発明を実施するための最良の形態】
【０００９】
以下、本発明にかかるペットのグルーミングバッグにつき、一つの実施の態様を挙げ、添付の図面に基づいて説明する。
【実施例１】
【００１０】
図１に、本発明にかかるペットのグルーミングバッグ１を示す。
このペットのグルーミングバッグ１は、上面が略舟形形状のペット受入れ開口部Ｏを有する網状袋体２で構成して、前記開口部Ｏ前部には、ペット首周りに合わせて調節可能に装着する漏斗状ガード部材３を設ける一方、前記開口部Ｏ後部には、開口部Ｏを前記漏斗状ガード部材３に向かって絞り込んでくくるための絞止手段４を備えた構成としている。
【００１１】
前記網状袋体２は、全長が対象とするペットの体長（頭部から尻尾の先端までの寸法）より長い寸法として開口部Ｏ全長も、ほぼ対象とするペットの体長に対応させている。
また、前記網状袋体２は、周知の合成繊維（例えばポリアミド、ポリエステル等）を用いた、目の粗い網状部材で構成している。
そして前記開口部Ｏの前部から後部にかけての上周縁部には、前記絞止手段４を構成する絞紐４Ｌが挿通可能に逢着している。
【００１２】
また前記漏斗状ガード部材３は、前記網状袋体２の開口部Ｏ前部上縁部に、両端部を開口部Ｏ上縁部後方に向くように取着した、扇形状樹脂パネル５を備えている。この扇形状樹脂パネル５は透明ないしは半透明としており、首周りに装着時、ペットに必要以上に圧迫感を与えないようにしている。
また、前記扇形状樹脂パネル５の、前記開口部Ｏ前部上縁部に取着する箇所内側には、軟質性縁部材６を設けている。
そして、前記扇形状樹脂パネル５の両端部近傍には、ペット首周りに合わせて調節する係着手段７を設けて、互いに双方の端部同士を連結することで扇形状樹脂パネル５を、取着側から扇形状樹脂パネル５外周側に向かって漏斗状に拡開する漏斗状ガード部材３として組み上げる構成としている。
なお、前記係着手段７は、複数の着脱可能なファスナ（スナップファスナ、ホック）を用いることができる。勿論、面ファスナも可能である。
【００１３】
前記絞止手段４を構成する絞紐４Ｌは、両端が前記開口部Ｏ前部の扇形状樹脂パネル５の取付箇所近傍に止め着けられ、開口部Ｏ後部の双方の上縁部端からそれぞれ所定寸法突出して、折り返し箇所である中間点Ｍに至っている。この際、前記開口部Ｏ後部の双方の上縁部端から露出した絞紐４Ｌは、前記中間点Ｍに至る間に適宜な戻り止め機能を有するストッパー８を介在させている。すなわち、前記中間点Ｍに指を通して、前記ストッパー８をもって引き込むことで、開口部Ｏ上縁部から絞紐４Ｌが引き出され、前記ストッパー８が開口部Ｏ前部の扇形状樹脂パネル５の取付箇所近傍の絞紐４Ｌの端部近傍に至り、これによって前記開口部Ｏは締込んだ状態で閉ざされ、前記ストッパー８の作用によって、開口部Ｏを閉ざした状態で維持する構成である。
【００１４】
以上のようなペットのグルーミングバッグ１において、ペットをシャンプーするときは、ペットを、広く開口した舟形形状のペット受入れ開口部Ｏから簡単に網状袋体２内に入れることができる（図２参照）。
次いで、前記開口部Ｏ前部の漏斗状ガード部材３を、ペット首周りに合わせて調節して装着する。先ず、ペットの首を、開放状態にある扇形状樹脂パネル５の、開口部Ｏ前部上縁部の取着箇所内側にもたらす。次いで、ペットの首周りを前記扇形状樹脂パネル５で囲み、扇形状樹脂パネル５の両端部近傍の係着手段７により、ペット首周り寸法に合わせて双方の端部同士を連結することで扇形状樹脂パネル５を、取着側から扇形状樹脂パネル５外周側に向かって漏斗状に拡開する漏斗状ガード部材３として組み上げることができる。なお、前記扇形状樹脂パネル５の、開口部Ｏ前部上縁部の取着箇所内側には軟質性縁部材６が設けられているため、ペットに何等苦痛を与えるようなことはない。
【００１５】
そして、飼い主は、開口部Ｏ後部の絞紐４Ｌ中間点Ｍに指を通すと共に、ストッパー８をもって前記絞紐４Ｌ中間点Ｍを引き込むことで、開口部Ｏ上縁部から絞紐４Ｌが引き出されていき、前記ストッパー８が開口部Ｏ前部の扇形状樹脂パネル５の取付箇所近傍の絞紐４Ｌの端部近傍に至り、これによって前記開口部Ｏは絞り込まれるように閉ざされ、前記ストッパー８の作用によって、開口部Ｏを閉ざした状態で維持することができる（図３参照）。
このようにして、ペットを網状袋体２内に適度な束縛下におくことができる。  ペットは、当初、逃れようとしてもがくが、首周りが漏斗状ガード部材３により、あたかも首輪のように拘束され、全身が網状袋体２に包み込まれたことを知り、次第に落ち着いた状態となっていく。
以上のように、ペットの首から上は、漏斗状ガード部材３により囲まれた状態であるが、ペットは頭部を旋回させることは可能であり、また漏斗状ガード部材３の素材が透明か半透明であるので視界が遮られることもなく、必要以上に拘束感を与えてストレスをかけることはない。
【００１６】
そして、飼い主は、ペットを網状袋体２内に入れた状態で風呂場等へ運んでいき、たらい９等に入れて、網状袋体２ごしに、ペットの身体にシャワーをかけ、シャンプーをすることができる。
なお、万一、ペットが興奮したような場合でも、漏斗状ガード部材３により飼い主は身体を掴む手が咬まれるようなことは防ぐことができる。
【図面の簡単な説明】
【００１７】
【図１】本発明にかかるペットのグルーミングバッグの一例を示す、外観説明図である。
【図２】図１に示すペットのグルーミングバッグの開口部からペットを入れた状態を示した、外観説明図である。
【図３】本発明にかかるペットのグルーミングバッグにペットを入れて、シャンプーをしている状態を示した、外観説明図である。
【符号の説明】
【００１８】
１                    グルーミングバッグ
２                    網状袋体
３                    漏斗状ガード部材
４                    絞止手段
４Ｌ                  絞紐
５                    扇形状樹脂パネル
６                    軟質性縁部材
７                    係着手段
８                    ストッパー
９                    たらい
Ｏ                    開口部
Ｍ                    中間点
【図１】
2007124965.tif 000003
【図２】
2007124965.tif 000004
【図３】
2007124965.tif 000005